(57)【特許請求の範囲】
【請求項１】
画像表示装置を備え、該画像表示装置に表示された動画像のうち選択された一の静止画像をプリント用紙にプリントするプリンターであって、
上記選択された一の静止画像を記憶する記憶手段と、
プリンターを動作させるプリンター操作釦とを有し、
上記プリンター操作釦は、半押し状態と深押し状態との２モードを有する押釦型スイッチで、
上記画像表示装置に表示されている動画像から一の静止画像を選択してプリントする場合には、上記プリンター操作釦を半押し状態にすることにより画像表示装置に表示された動画像からプリント用の静止画像として選択するとともに上記記憶手段に記憶させ、
上記プリンター操作釦を深押し状態にすることにより上記プリント用の静止画像のプリントを開始するようにし、
上記記憶手段に記憶された静止画像をプリントする場合には、上記プリンター操作釦を深押し状態にすることにより上記プリント用画像のプリントを開始するようにし、
上記プリンター操作釦を深押し状態にしてプリント中は、上記画像表示装置は表示を行わないようにした
ことを特徴とするプリンター。
【請求項２】
画像表示装置に表示された動画像のうち選択された一の静止画像をプリント用紙にプリントするプリント操作方法であって、
プリンターに、上記画像表示装置に表示された選択された一の静止画像を記憶する記憶手段と、半押し状態と深押し状態との２モードを有する押釦型スイッチであるプリンター操作釦とを設けておき、
上記画像表示装置に表示されている動画像から一の静止画像を選択してプリントする場合には、上記プリンター操作釦を半押し状態にすることにより上記画像表示装置に表示された動画像からプリント用の静止画像として選択するとともに上記記憶手段に記憶させ、
上記プリンター操作釦を深押し状態にすることにより上記プリント用の静止画像をプリントするようにし、
上記記憶手段に記憶された静止画像をプリントする場合には、上記プリンター操作釦を深押し状態にすることにより上記プリント用画像のプリントを開始するようにし、
上記プリンター操作釦を深押し状態にしてプリント中は、上記画像表示装置は表示を行わないようにした
ことを特徴とするプリント操作方法。
【発明の詳細な説明】
【０００１】
【発明の属する技術分野】
本発明は新規なプリンターに関する。詳しくは、画像表示装置を備えたプリンターで、画像表示装置に表示された動画像のうち任意の静止画像をプリントする操作を簡便にする技術に関する。
【０００２】
【従来の技術】
画像表示装置を備えたプリンターにおいて、画像表示装置に表示された動画像の一つの画像をプリント用画像（静止画像）として選択し、プリンターでその画像をプリントすることが行われている。
【０００３】
かかるプリンターにあっては、動画像のうち任委の画像をプリント画像として選択するとともに該プリント用画像とを記憶手段に記憶させるためのスイッチと、プリンターを駆動するためのスイッチとの２つのスイッチが各別に設けられている。
【０００４】
【発明が解決しようとする課題】
ところが、このように２つのスイッチが各別の設けられている場合、動画像うちプリントしようとする静止画像を選択する動作と該選択した静止画像をプリントさせる動作とを別個に行わなければならず、その操作が煩雑であるという問題があった。
【０００５】
そこで、本発明は、動画像うちプリントしようとする静止画像を選択する動作と該選択した静止画像をプリントさせる動作との一連の動作を１つのスイッチで可能とし、プリント操作釦の操作の簡便化を図ることを課題とする。
【０００６】
【課題を解決するための手段】
本発明プリンターは、上記した課題を解決するために、画像表示装置に表示された動画像のうち選択された一の静止画像をプリント用紙にプリントするプリンターであって、上記選択された一の静止画像を記憶する記憶手段と、プリンターを動作させるプリンター操作釦とを有し、上記プリンター操作釦は、半押し状態と深押し状態との２モードを有する押釦型スイッチで、上記画像表示装置に表示されている動画像から一の静止画像を選択してプリントする場合には、上記プリンター操作釦を半押し状態にすることにより画像表示装置に表示された動画像からプリント用の静止画像として選択するとともに上記記憶手段に記憶させ、上記プリンター操作釦を深押し状態にすることにより上記プリント用の静止画像のプリントを開始するようにし、上記記憶手段に記憶された静止画像をプリントする場合には、上記プリンター操作釦を深押し状態にすることにより上記プリント用画像のプリントを開始するようにし、上記プリンター操作釦を深押し状態にしてプリント中は、上記画像表示装置は表示を行わないようにしたものである。
【０００７】
従って、本発明プリンターにあっては、１つのプリンター操作釦の半押し操作と深押し操作のみで動画像からのプリント用画像（静止画像）の選択及びプリンター開始を行なうことができ、一連の操作の簡便化を図ることができる。
【０００８】
また、本発明プリント操作方法は、画像表示装置に表示された動画像のうち選択された一の静止画像をプリント用紙にプリントするプリント操作方法であって、プリンターに、上記画像表示装置に表示された選択された一の静止画像を記憶する記憶手段と、半押し状態と深押し状態との２モードを有する押釦型スイッチであるプリンター操作釦とを設けておき、上記画像表示装置に表示されている動画像から一の静止画像を選択してプリントする場合には、上記プリンター操作釦を半押し状態にすることにより上記画像表示装置に表示された動画像からプリント用の静止画像として選択するとともに上記記憶手段に記憶させ、上記プリンター操作釦を深押し状態にすることにより上記プリント用の静止画像をプリントするようにし、上記記憶手段に記憶された静止画像をプリントする場合には、上記プリンター操作釦を深押し状態にすることにより上記プリント用画像のプリントを開始するようにし、上記プリンター操作釦を深押し状態にしてプリント中は、上記画像表示装置は表示を行わないようにしたものである。
【０００９】
従って、本発明プリント操作方法にあっては、１つのプリンター操作釦の半押し操作と深押し操作のみで、動画像からのプリント用画像（静止画像）の選択及びプリンター開始を行なうことができ、一連の操作の簡便化を図ることができる。
【００１０】
【発明の実施の形態】
以下に、本発明プリンターの各実施の形態について添付図面を参照して説明する。図示した実施の形態はカメラ一体型ＶＴＲ（ビデオテープレコーダ）に本発明に係るプリンターを組み込んだものである。
【００１１】
図１乃至図８は、本発明プリンターの実施の形態を示すもので、図１乃至図３にプリンターを組み込んだカメラ一体型ＶＴＲ１の外観を示す。
【００１２】
カメラ一体型ＶＴＲ１の後部にその筐体２内にプリンター３が内蔵されている。また、側面には液晶表示パネル４が、上部にはビューファインダー５が、それぞれ取り付けられている。液晶表示パネル４は使用時には図２に示すように開き、使用しないときには図１に示すように閉じた状態とする。
【００１３】
上記した液晶表示パネル４やビューファインダー５は、撮影時の構図決定や、撮影された画像の確認に用いられる他、プリントすべき画像の選択や確認にも用いられる。特許請求の範囲に記載した「画像表示装置」とは、これら液晶表示パネル４及びビューファインダー５を含む概念である。
【００１４】
また、液晶表示パネル４を開いたときに、プリンター３の給紙口６が露出するようになっており、液晶表示パネル４を開かなければ、プリンター３にプリント用紙７を挿入できず、また、プリンター３が動作しないようになっている。これは、プリンター３の不使用時に上記給紙口６からの塵埃の侵入を防止すること及びプリンター３の使用の多くは、液晶表示パネル４によりプリントすべき画像の選択や確認をするためである。
【００１５】
プリンター３の上記給紙口６に対向する筐体２の位置には、プリント作業中のプリント用紙７の先端部が筐体２から突出するための排出口１０が設けられている（図３参照）。これは、プリント用紙７をプリンター３内で往復運動させてプリントするようになっていること及び装置の小型化に伴い筐体２の幅に対してプリント用紙７の幅が大きくなっているためである。
【００１６】
プリンター３を駆動させるためのプリンター操作釦１１は、上記排出口１０の上方であって筐体２の上面に設けられている（図４、図５参照）。
【００１７】
上記排出口１０は開閉蓋１２により開閉されるようになっている（図４、図５参照）。
【００１８】
開閉蓋１２は、後方から見て逆さＬ字状を成し、その短片１２ａが筐体２の上面に、長片１２ｂが筐体２の液晶表示パネル４と反対側の側面に重なるように位置されて、前後方向に摺動自在に支持されている。
【００１９】
そして、開閉蓋１２がその移動範囲のうち前方に位置したときに開閉蓋１２の長片１２ｂが排出口１０を閉塞し、後方に位置したときに排出口１０を開放するようになっている（図４参照）。
【００２０】
また、開閉蓋１２が排出口１０を閉塞した状態では、その短片１２ａが上記プリンター操作釦１１を覆うようになっており（図５参照）、これにより、開閉蓋１２で上記排出口１０を閉塞したときは同時にプリンター操作釦１１を覆うことになり、従って、排出口１０が閉塞された状態では、プリンター操作釦１１を操作することができないようになっている。
【００２１】
上記プリンター操作釦１１は、半押し状態と深押し状態の２モードを有する押釦型スイッチであり、この２つのモードにより、後述するように動画像のうちのプリントすべき画像の選択及びプリントの開始をするようになっている。
【００２２】
図６は、プリント画像の選択及び記憶並びにプリンター３の開始操作を制御する制御部のブロック図である。
【００２３】
プリンター操作釦１１は、第１のスイッチ１３と第２のスイッチ１４とで等価的に記述することができ、プリンター操作釦１１を操作すると、その操作によるモードが信号としてコマンド発行マイコン１５に取り込まれる。尚、第１のスイッチ１３のみをＯＮした状態がプリンター操作釦１１を半押しした状態であり、第１のスイッチ１３及び第２のスイッチ１４をともにＯＮした状態がプリンター操作釦１１を深押しした状態である。
【００２４】
コマンド発行マイコン１５では、上記プリンター操作釦１１による信号に基づき、画面表示マイコン１６、カメラマイコン１７及び印刷画作成マイコン１８に所定の信号を発行する。
【００２５】
画面表示マイコン１６は、上記コマンド発行マイコン１５が発行した信号に基づき、画像用メモリー１９に記憶された画像データを表示装置（上記液晶表示パネル４）に画像として表示させるように命令する。
【００２６】
画像用メモリー１９は動画像のうち選択された一の静止画像を一時的に画像データとして記憶するためのものであり、特許請求の範囲に記載した記憶手段に相当する。
【００２７】
カメラマイコン１７は、上記コマンド発行マイコン１５が発行した信号に基づき、液晶表示パネル４に表示された動画像のうちプリントすべき画像を静止画像の画像データとして画像用メモリー１９に保存するように命令する。
【００２８】
印刷画作成マイコン１８は、上記コマンド発行マイコン１５が発行した信号に基づき、上記画像用メモリー１９の記憶された画像データ又は外部記憶装置２０などに記憶された画像データを印刷画作成ＩＣ２１を用いてプリント用データに変換するように命令するとともに印刷制御マイコン２２にプリントの開始するように命令する。
【００２９】
印刷画作成ＩＣ２１でプリント用データとして変換された画像データは、バッファー２３を介して印刷画保存メモリー２４に保存され、さらに、印刷画保存メモリー２４に保存された画像データは、印刷制御マイコン２２の命令によりプリンター３に画像データを転送されるとともに、プリンター３によりプリント用紙７にプリントが行われるようになっている。
【００３０】
動画像及び静止画像のプリント開始操作について、図７及び図８のフローチャート図を用いて説明する。
【００３１】
Ｓ１）  動画像表示中。液晶表示パネル４に動画像が表示されている場合であり、かかる動画像は、カメラ一体型ＶＴＲ１における、いわゆるＥＥ（electronic to electronic）モードで表示される画像であり、記録モード及び再生モードでなく、単に被写体がレンズを通してＣＣＤ（charge coupled device）などにより電気信号に変換され、該電気信号が画像として液晶表示パネル４にスルーに表示されている状態である。
【００３２】
尚、記録モード、再生モードにおける動画像を表示している場合でも良いが、プリンター３の消費電力が大きいため、記録モード又は再生モードを同時に行なうことはバッテリー駆動では、その動作が不安定になる可能性がある。従って、記録モード又は再生モードによる動画像表示中の動画像の選択した任意の静止画像を記憶し、かつ、かかる静止画像をプリンター３によりプリントする場合には、ＡＣアダプター等により外部電力が供給されているときに行なうことが好ましい。
【００３３】
また、かかる状態は、プリンター操作釦１１はＯＦＦの状態、即ち上記第１のスイッチ１３及び第２のスイッチ１４はＯＦＦの状態であり、コマンド発行マイコン１５には信号は入力されない。
【００３４】
Ｓ２）  プリントすべき画像は静止画像か又は動画像から選択する静止画像かを選択する。静止画像からプリントすべき画像を選択するときはＳ３に移行する。また、動画像からプリントすべき画像を選択するときはＳ４に移行する。尚、かかる選択は、図示しないスイッチにより操作者が行なう。
【００３５】
Ｓ３）  静止画像を画像用メモリー１９に取り込み、静止画像を液晶表示パネル４に表示させる。かかる静止画像は、外部記憶装置２０を当該カメラ一体型ＶＴＲ１に接続しておいて、その外部記憶装置２０に記憶された静止画像データを画像用メモリー１９に保存し液晶表示パネル４に表示させる。
【００３６】
尚、外部記憶装置２には、例えば、メモリーカード、メモリースティック、ハードディスクドライブ等が含まれる。また、当該カメラ一体型ＶＴＲ１に静止画像として記録媒体に記録されている場合には、そのモードにおける当該カメラ一体型ＶＴＲ１の静止画像であっても良い。
【００３７】
Ｓ４）  プリンター操作釦１１を半押しする。即ち、上記第１のスイッチ１３のみをＯＮした状態である。これにより、コマンド発行マイコン１５にはプリンター操作釦１１が半押されたことによる信号が伝達され、コマンド発行マイコン１５は所定の信号を発行する。
【００３８】
Ｓ５）  プリントすべき画像は静止画像か又は動画像から選択する静止画像かを判断し、動画像の場合はＳ６に移行し、静止画像の場合はＳ８に移行する。プリントすべき画像が静止画像か動画像かの判断は、上記Ｓ２において選択したスイッチにより判断する。尚、プリントすべき画像が静止画像である場合には、既に、画像用メモリー１９に静止画像が記録され、かつ、液晶表示パネル４にその静止画像が表示されているため、Ｓ５では、反応しない。
【００３９】
Ｓ６）  プリントすべき画像が動画像から選択する場合、コマンド発行マイコン１５は、カメラマイコン１７にプリンター操作釦１１が半押しされたときの画像だけを静止画像として画像用メモリー１９に保存する。かかる静止画像が動画像のうち選択された一の静止画像となる。続いて、コマンド発行マイコン１５は画面表示マイコン１６に画像用メモリー１９に記憶された静止画像、即ち、動画像のうち選択された一の静止画像を液晶表示パネル４に表示させるように命令する。そして、Ｓ７に移行する。
【００４０】
Ｓ７）  コマンド発行マイコン１５は、印刷画作成マイコン１８に印刷画作成命令を発行する。印刷画作成マイコン２２は印刷画作成ＩＣ２１を用いて画像用メモリー１９に記憶された画像データをプリント用データに変換しバッファー２３に転送する。そして、Ｓ８に移行する。
【００４１】
Ｓ８）  プリンター操作釦１１が放されたか？  プリンター操作釦１１が半押しの状態から放されると、コマンド発行マイコン１５はコマンドをキャンセルし、Ｓ１１に移行する。Ｓ１１はプリントの終了を判断するステップであり、プリンター操作釦１１の半押しが放された場合には、みかけ上プリントが終了したものと判断する。尚、後述するが、液晶表示パネル４には、Ｓ５において動画像が選択されているときにはその動画像が表示され、また、Ｓ５において静止画像が選択されているときにはその静止画像が表示される。尚、プリンター操作釦１１が半押しの状態から放された場合、上記画像用メモリー１９に記憶された画像データはそのまま保持される。そして、新たに画像用メモリー１９に画像データが転送されて来たときに、新しい画像データが上書き保存される。プリンター操作釦１１が半押しの状態から放されない場合にはＳ９に移行する。
【００４２】
Ｓ９）  プリンター操作釦１１が深押しされたか？  深押しとは上記第１のスイッチ１３及び第２のスイッチ１４をともにＯＮした状態である。プリンター操作釦１１が深押されていない場合には、Ｓ８に移行し再び、半押し状態が放されたかが判断される。プリンター操作釦１１が深押しされた場合、コマンド発行マイコン１５にはプリンター操作釦１１が深押しされたことによる信号が伝送される。
【００４３】
Ｓ１０）  プリンター操作釦１１の深押しの信号を受けると、コマンド発行マイコン１５の命令に基づき、印刷画作成マイコン１８が印刷制御マイコン２２にプリント命令を発行する。そして、印刷制御マイコン２２はバッファー２３からプリント用画像データを印刷画保存メモリー２４に転送させ、プリンター３を駆動してプリントを開始する。これにより、プリント用画像データがプリント用紙７にプリントされる。尚、プリンター３の動作中は液晶表示パネル４は表示を行わないようになっており、省電力化に寄与する。そして、Ｓ１１に移行する。
【００４４】
Ｓ１１）  プリントは終了したか？  プリントが終了した場合はＳ１２に移行する。プリントが終了していない場合には、Ｓ１１を繰り返す。
【００４５】
Ｓ１２）  プリントした画像は動画像から選択したものか？  プリントした画像がＳ２において選択した動画像から選択したものである場合には、Ｓ１３に移行する。また、プリントした画像が静止画像である場合には、Ｓ１４に移行する。
【００４６】
Ｓ１３）  液晶表示パネル４に動画像が表示される。プリント終了後は、プリントすべき画像の選択時の状態に液晶表示パネル４を戻す。即ち、選択時の動画像が表示されることになる。
【００４７】
Ｓ１４）  液晶表示パネル４に静止画像が表示される。Ｓ１３と同様に、プリント終了後は、プリントすべき画像の選択時の状態に液晶表示パネル４を戻す。即ち、選択時の静止画像が表示されることになる。
【００４８】
しかして、上記実施の形態によれば、本発明をカメラ一体型ＶＴＲ１のプリンター３に適用したので、液晶表示パネル４に表示された画像が動画像か静止画像かを容易に判断することができるため、動画像のみを画像用メモリー１９（記憶手段）に記憶させるようにすることが容易である。
【００４９】
尚、上記実施の形態においては、プリンター操作釦１１の配設位置を開閉蓋１２により隠すようにしたが、本発明にこれに限らず、筐体２に常時露出しているようにしても良く、或いは、液晶表示パネル４により隠すようにしても良い。要は、本発明はその配設位置に限定されるものではない。
【００５０】
また、上記実施の形態において静止画像のプリントについて、該静止画像の画像データを画像用メモリー１９に一旦記憶させ、その後、印刷画保存メモリー２４に保存してプリントするようにしたが、本発明はこれに限らず、その静止画像の画像データを記憶した外部記憶装置２０等から直接読み出し、かかるデータをプリント用データに変換した後、印刷画保存メモリー２４に保存してプリントするようにしても良い。
【００５１】
上記した実施の形態においては、プリンターがカメラ一体型ＶＴＲに内蔵されたものを示したが、画像表示装置を備えたプリンターであれば、どのような形式のものであっても良いことは勿論である。
【００５２】
尚、上記した実施の形態において示した各部の形状及び構造は、何れも本発明を実施するに際して行う具体化のほんの一例を示したものに過ぎず、これらによって本発明の技術的範囲が限定的に解釈されることがあってはならないものである。
【００５３】
【発明の効果】
以上に記載したところから明らかなように、本発明プリンターは、画像表示装置に表示された動画像のうち選択された一の静止画像をプリント用紙にプリントするプリンターであって、上記選択された一の静止画像を記憶する記憶手段と、プリンターを動作させるプリンター操作釦とを有し、上記プリンター操作釦は、半押し状態と深押し状態との２モードを有する押釦型スイッチで、上記画像表示装置に表示されている動画像から一の静止画像を選択してプリントする場合には、上記プリンター操作釦を半押し状態にすることにより画像表示装置に表示された動画像からプリント用の静止画像として選択するとともに上記記憶手段に記憶させ、上記プリンター操作釦を深押し状態にすることにより上記プリント用の静止画像のプリントを開始するようにし、上記記憶手段に記憶された静止画像をプリントする場合には、上記プリンター操作釦を深押し状態にすることにより上記プリント用画像のプリントを開始するようにし、上記プリンター操作釦を深押し状態にしてプリント中は、上記画像表示装置は表示を行わないようにしたことを特徴とする。
【００５４】
従って、本発明プリンターにあっては、１つのプリンター操作釦の半押し操作と深押し操作のみで動画像からのプリント用画像（静止画像）の選択及びプリンター開始を行なうことができ、一連の操作の簡便化を図ることができる。
【００５５】
また、本発明プリント操作方法は、画像表示装置に表示された動画像のうち選択された一の静止画像をプリント用紙にプリントするプリント操作方法であって、プリンターに、上記画像表示装置に表示された選択された一の静止画像を記憶する記憶手段と、半押し状態と深押し状態との２モードを有する押釦型スイッチであるプリンター操作釦とを設けておき、上記画像表示装置に表示されている動画像から一の静止画像を選択してプリントする場合には、上記プリンター操作釦を半押し状態にすることにより上記画像表示装置に表示された動画像からプリント用の静止画像として選択するとともに上記記憶手段に記憶させ、上記プリンター操作釦を深押し状態にすることにより上記プリント用の静止画像をプリントするようにし、上記記憶手段に記憶された静止画像をプリントする場合には、上記プリンター操作釦を深押し状態にすることにより上記プリント用画像のプリントを開始するようにし、上記プリンター操作釦を深押し状態にしてプリント中は、上記画像表示装置は表示を行わないようにしたことを特徴とする。
【００５６】
従って、本発明プリント操作方法にあっては、１つのプリンター操作釦の半押し操作と深押し操作のみで、動画像からのプリント用画像（静止画像）の選択及びプリンター開始を行なうことができ、一連の操作の簡便化を図ることができる。
【図面の簡単な説明】
【図１】図面は本発明プリンターをカメラ一体型ＶＴＲのプリンターに適用した実施の形態を示すものであり、本図は液晶表示パネル側を後方から見た概略斜視図である。
【図２】図１のカメラ一体型ＶＴＲにおいて液晶表示パネルを開いた状態を示す概略斜視図である。
【図３】カメラ一体型ＶＴＲを液晶表示パネルと反対側を後方から見た概略斜視図である。
【図４】図５とともにプリンタ操作釦、排出口及び開閉蓋の部分を前方から見たもので、本図は開閉蓋の開放状態を示す概略斜視図である。
【図５】開閉蓋の閉塞状態を示す概略斜視図である。
【図６】ブロック図である。
【図７】図８とともにフローチャート図を示すものであり、本図はＳ１からＳ６までを示す。
【図８】Ｓ７からＳ１４までを示す。
【符号の説明】
３…プリンター、４…液晶表示パネル（画像表示装置）、７…プリント用紙、１１…プリンター操作釦（押釦型スイッチ）、１３…第１のスイッチ、１４…第２のスイッチ、１９…画像用メモリー（記憶手段）
【図１】
0004651070.tif 000002
【図２】
0004651070.tif 000003
【図３】
0004651070.tif 000004
【図４】
0004651070.tif 000005
【図５】
0004651070.tif 000006
【図６】
0004651070.tif 000007
【図７】
0004651070.tif 000008
【図８】
0004651070.tif 000009